(57)【要約】【課題】繰り返し確実にサイホン作用を発生させて便器洗浄を良好に行うことができる便器排水路の吸気装置を提供する。【解決手段】便器排水路５の吸気装置２００は、便器本体１の水封部４の下流側に連なる便器排水路５から空気を吸引する。吸気装置２００は、負圧発生装置２０１と、負圧発生装置２０１と便器排水路５との間に接続される吸引タンク８０とを有している。吸引タンク８０の内部は、設置時の上下方向で移動可能な隔膜８３によって第１室８１と第２室８２とに区画されている。隔膜８３は、平坦に形成された平面部８３ａと、平面部８３ａに設けられた錘８６とを有している。第１室８１は負圧発生装置２０１に接続され、第２室８２は便器排水路５に接続されている。【選択図】図３
2008231721.tif 000002
【特許請求の範囲】
【請求項１】
便器本体の水封部の下流側に連なる便器排水路から空気を吸引する便器排水路の吸気装置において、
負圧発生装置と、該負圧発生装置と前記便器排水路との間に接続される吸引タンクとを備え、
該吸引タンクの内部は、設置時の上下方向で移動可能な隔膜によって第１室と第２室とに区画され、
該隔膜は、平坦に形成された平面部と、該平面部に設けられた錘とを有し、
該第１室は該負圧発生装置に接続され、該第２室は該便器排水路に接続されていることを特徴とする便器排水路の吸気装置。
【請求項２】
前記吸引タンク内は平面視で円形に形成され、
前記隔膜は、円形状の前記平面部の周縁から立ち上がる可撓性のある周膜と、該周膜の上端から径方向外側へ延びる鍔部と、該鍔部の周縁から下方に折り曲げられて延びる取付片とを有する請求項１記載の便器排水路の吸気装置。
【発明の詳細な説明】
【技術分野】
【０００１】
本発明は便器排水路の吸気装置に関する。
【背景技術】
【０００２】
特許文献１の図１に従来の便器排水路の吸気装置が開示されている。この吸気装置は、便器本体の水封部の下流側に連なる便器排水路から空気を吸引する。吸気装置は、便鉢に洗浄水を給水するための給水管又はバイパス管に設けられ、負圧を発生させるエゼクタと、エゼクタと便器排水路との間に接続される吸引タンクとを有している。吸引タンクの内部は、ベローズの外側（第１室）とベローズの内側（第２室）とに区画されている。第１室はエゼクタに接続され、第２室は便器排水路に接続されている。
【０００３】
このような構成である従来の便器排水路の吸気装置は、ベローズの伸長により増加するベローズの内容積に応じた一定量の空気が便器排水路から吸引される。このため、便器排水路に安定してサイホン作用を発生させることができる。また、便器排水路内の臭気を含んだ空気等をベローズより上流側へ放散しないという効果も奏する。
【０００４】
そして、便鉢への洗浄水の供給が終了すると、エゼクタが大気と連通し、吸引タンクの第１室が大気圧になる。これにより、第１室が負圧になることにより伸張していたベローズは縮小し、次回の便器洗浄の準備状態となる。
【０００５】
【特許文献１】特開平７−５４３８８号公報
【発明の開示】
【発明が解決しようとする課題】
【０００６】
しかし、上記従来の便器排水路の吸気装置では、ベローズの縮小が大気圧のみで行なわれるため、ベローズを縮小させる力が弱い。このため、第２室と便器排水路とを接続する経路に汚物等が残存する等の理由により、第２室内の空気を便器排水路に排出する方向に抵抗が生じると、ベローズが充分に縮小しない虞がある。この場合、次回の便器洗浄の際に便器排水路からの空気の吸引が不十分になり、サイホン作用が発生し難くなる。この結果、便器洗浄が良好に行なわれない虞がある。
【０００７】
本発明は、上記従来の実情に鑑みてなされたものであって、繰り返し確実にサイホン作用を発生させて便器洗浄を良好に行うことができる便器排水路の吸気装置を提供することを解決すべき課題としている。
【課題を解決するための手段】
【０００８】
本発明の便器排水路の吸気装置は、便器本体の水封部の下流側に連なる便器排水路から空気を吸引する便器排水路の吸気装置において、
負圧発生装置と、該負圧発生装置と前記便器排水路との間に接続される吸引タンクとを備え、
該吸引タンクの内部は、設置時の上下方向で移動可能な隔膜によって第１室と第２室とに区画され、
該隔膜は、平坦に形成された平面部と、該平面部に設けられた錘とを有し、
該第１室は該負圧発生装置に接続され、該第２室は該便器排水路に接続されていることを特徴とする。
【０００９】
このような構成である本発明の便器排水路の吸気装置において、負圧発生装置により吸引タンクの第１室を負圧にすると、隔膜の平面部が上方に移動し、第２室の容積が一定量増加する。この結果、便器排水路の空気が第２室に吸引され、サイホン作用が発生する。
【００１０】
その後、第１室を大気圧に戻すと、錘を有する平面部には、この錘の重さにより下方に大きな力が働く。このため、第２室内の空気を便器排水路に排出する方向に抵抗が生じていても、その抵抗を打ち消して、平面部は下方の所定の位置に確実に移動する。
【００１１】
したがって、本発明の便器排水路の吸気装置は、繰り返し確実にサイホン作用を発生させて便器洗浄を良好に行なうことができる。
【００１２】
本発明の吸気装置において、負圧発生装置としては、負圧を発生させることができるものであれば、種々のものを採用することができる。例えば、洗浄水を供給することにより負圧を発生させるエゼクタの他、ポンプ等を採用することができる。
【００１３】
本発明の便器排水路の吸気装置において、吸引タンク内は平面視で円形に形成され、
隔膜は、円形状の平面部の周縁から立ち上がる可撓性のある周膜と、周膜の上端から径方向外側へ延びる鍔部と、鍔部の周縁から下方に折り曲げられて延びる取付片とを有することが好ましい。
【００１４】
この場合、周膜が変形することにより、平面部が吸引タンクの上内壁面と下内壁面との間を安定して移動する。また、平面部が円形状であるため、周膜全体に均等に力が働き、平面部は水平状態を維持した状態で上下移動することができる。このため、平面部が傾いて空気の吸引量が減少してしまうことを防止することができる。
【００１５】
また、周膜は下部が膨らんだ略円筒形状であると良い。この場合、周膜の側面が蛇腹状でない曲面であるため、仮に便器排水路から第２室に汚物を含んだ洗浄水等が吸引されても、その洗浄水等は、周膜の側面に引っかかって留まることがなく、第２室から便器排水路へ排出され易い。
【００１６】
また、錘を円形状の平板にして、隔膜の平面部に平面部と同心に設けると良い。この場合、錘の重さが周膜の全体に均等に働くため、平面部が水平状態を維持した状態で上下移動を行ない易い。
【００１７】
また、鍔部が吸引タンクの上内壁面と接するように隔膜を吸引タンクに設けると良い。この場合、隔膜の平面部を吸引タンクの上内壁面に接するまで上昇させることができる。
【００１８】
さらに、隔膜の平面部が下降時に吸引タンクの下内壁面に接するように隔膜を吸引タンクに設けると良い。この場合、隔膜の平面部を吸引タンクを下内壁面に接するまで下降させることができる。
【００１９】
隔膜の平面部の上昇位置及び下降位置が吸引タンクの上内壁面及び下内壁面に接する位置になるように隔膜を設けると、第１室及び第２室の容積変動量を吸引タンクの内容積に近づけることができ、吸引タンクの内部の空間が有効に利用され、吸引タンクの小型化を図ることができる。
【発明を実施するための最良の形態】
【００２０】
以下、本発明の便器排水路の吸気装置を洋風水洗式便器に具体化した実施例を図面を参照しつつ説明する。
【実施例】
【００２１】
図１に示すように、この洋風水洗式便器は、便器本体１と、便器洗浄装置１００とを備えている。なお、便座及び便蓋の図示は省略する。
【００２２】
便器本体１は便鉢２の上部内周にリム３を有している。また、便器本体１には便鉢２の下端から上方に延びる上昇流路が形成され、便鉢２の下方には水封部４が形成されている。
【００２３】
図３に示すように、便器本体１は、上昇流路を形成し、後方に向けて開口する便器排水管１５０を有している。便器排水管１５０の下流側には、接続管１５１及び排水接続管８が接続されている。
【００２４】
接続管１５１の上流端開口部には、パッキン１５０ｐを介して便器排水管１５０の下流端が挿入されている。排水接続管８の上流端開口部には、パッキン８ｐを介して接続管１５１の下流端が挿入されている。排水接続管８は、とぐろを巻いた形状に形成され、途中に洗浄水が滞留して上流側と下流側とを封鎖する滞留部６を有している。排水接続管８は、上流端開口部に嵌め込まれ、管径を縮小するオリフィス部材８ａを有している。便器排水管１５０、接続管１５１及び排水接続管８により形成され、水封部４の下流側かつ滞留部６の上流側が排水流路５である。
【００２５】
排水接続管８は、床排水接続部材９に接続され、床排水接続部材９は床面から立ち上げられた床排水管３００に接続されている。このようにして排水接続管８の下端の排水口７は床排水管３００に連通している。床排水接続部材９は、排水接続管８の滞留部６を支持する支持部９ａを有している。また、便器本体１は、便鉢２の後方に側壁１Ｗに囲まれた収納部１Ｓを有している。
【００２６】
また、図１に示すように、便器洗浄装置１００は、洗浄水供給装置と便器排水路５の吸気装置２００とを備えている。
【００２７】
洗浄水供給装置は、水道管と接続される導水管１０と、導水管１０を開閉する第１開閉弁Ｖ１とを備えている。
【００２８】
導水管１０は、便器本体１が据え付けられるトイレルームの床面又は壁面から引き込まれた水道管の止水栓Ｖ５に連通している。また、第１開閉弁Ｖ１より上流側には、止水弁及びストレーナを内蔵するストレーナ装置１１と定流量弁１２とが設けられており、下流側にはバキューブブレーカ１３が設けられている。
【００２９】
また、バキュームブレーカ１３より下流側の導水管１０にエゼクタ３０の導入口３１が接続されている。エゼクタ３０の導出口３２にはタンク２０の流入口２１が接続され、タンク２０は貯留した洗浄水を流出口２２から流出可能になっている。
【００３０】
タンク２０は、流入口２１に連通する流入室２５と、流入室２５と底部が連通され、流出口２２に連通する流出室２６とを有している。流入室２５には大気口２３が設けられ、ここには第２開閉弁Ｖ２が接続されている。流入室２５は、エゼクタ３０の導出口３２に連通するノズル５０から洗浄水が吐出され、旋回流が形成される旋回室２９を有する。流出口２２には、便器本体１のリム３まで延びる送出管４０が接続されている。
【００３１】
エゼクタ３０は外部に連通する吸気口３３を有している。この吸気口３３は導出口３２から洗浄水を導出することにより空気を吸引する。
【００３２】
便器排水路５の吸気装置２００は、負圧発生装置２０１と吸引タンク８０とを有している。
【００３３】
負圧発生装置２０１は、エゼクタ３０と負圧蓄圧タンク７０とを有している。エゼクタ３０の吸気口３３は、逆止弁１１１が設けられた第１導圧管１１０を介して負圧を蓄圧する負圧蓄圧タンク７０に接続されている。
【００３４】
逆止弁１１１より負圧蓄圧タンク７０よりの第１導圧管１１０には、途中に第３開閉弁Ｖ３が設けられて外部に連通する第２導圧管１２０が分岐されている。また、この第１導圧管１１０には、途中に第４開閉弁Ｖ４が設けられ、吸引タンク８０に連通する第３導圧管１３０が分岐されている。
【００３５】
吸引タンク８０の内部は、上下方向で移動可能な隔膜８３によって第１室８１と第２室８２とに区画されている。第１室８１は第３導圧管１３０に接続され、第２室８２は吸引管９０によって便器排水路５に接続されている。
【００３６】
図２に示すように、第１開閉弁Ｖ１、第２開閉弁Ｖ２、第３開閉弁Ｖ３及び第４開閉弁Ｖ４は制御装置Ｃにより開閉タイミング及び開閉時間が制御されている。第２開閉弁Ｖ２、第３開閉弁Ｖ３及び第４開閉弁Ｖ４は、空気用の開閉弁であるため、水用の開閉弁に比べ、小型にされ、開閉動作を小さな力で行なうことができるようになっている。
【００３７】
この実施例の特徴的な構成である吸引タンク８０について、より詳細に説明する。図４に示すように、吸引タンク８０は、なべ状の本体８４と、上蓋８５と、隔膜８３とを有している。図５に示すように、本体８４及び上蓋８５により吸引タンク８０の外郭が形成され、図４に示すように、その内部が上下方向で移動可能な隔膜８３によって第１室８１と第２室８２とに区画されている。
【００３８】
図４及び図６〜図８に示すように、本体８４は、円形の底壁８４ａと、底壁８４ａの周縁から立ち上がる周壁８４ｄとを有している。底壁８４ａの下内壁面８４ｍの最下部には、下部開口８４ｂと、下部開口８４ｂに連通し、下方に突出する挿入管８４ｃとが形成されている。また、底壁８４ａの下内壁面８４ｍには、底壁８４ａの外周から下部開口８４ｂに連通する複数本の溝８４ｅが放射状に凹設されている。周壁８４ｄの上部外周面には、各々のボルト８７ｂを挿通する複数個の貫通孔８４ｇを有するフランジ８４ｆが形成されている。本体８４の内側表面は粗面加工されている。
【００３９】
図４〜図６及び図９に示すように、上蓋８５は、上方に膨らんだ曲面形状であり、その上内壁面８５ｍには、中心から放射状に延びる複数本のリブ８５ｄが形成されている。上蓋８５は、上部開口８５ａと、上部開口８５ａに連通する導圧連通管８５ｂとを有している。上蓋８５の外周面には、各々ボルト８７ｂを挿通する複数個の貫通孔８５ｇを有するフランジ８５ｆが形成されている。上蓋８５の導圧連通管８５ｂが第３導圧管１３０に接続され、上部開口８５ａが負圧発生装置２０１に連通されている。上蓋８５の内側表面は粗面加工されている。
【００４０】
図６、図１０及び図１１に示すように、隔膜８３はゴム製であり、平坦に形成された円形状の平面部８３ａ、平面部８３ａの周辺から立ち上がる可撓性を有する周膜８３ｂ、周膜８３ｂの上端から径方向外側へ延びる鍔部８３ｃ及び鍔部８３ｃの周縁から下方に折り曲げられて延びる取付片８３ｄを有している。周膜８３ｂは下部が膨らんだ略円筒形状である。平面部８３ａ及び周膜８３ｂの表面は粗面加工されている。
【００４１】
平面部８３ａが上下移動する際、周膜８３ｂの全体に均等に力が働くため、平面部８３ａが水平状態を維持した状態で上下移動する。このため、平面部８３ａが傾いて便器排水路５から吸引する空気量が減少してしまうことを防止することができる。
【００４２】
また、仮に便器排水路５から汚物を含んだ洗浄水等が第２室８２に吸引されても、その洗浄水等は、周膜８３ｂの側面に引っかかって留まることがなく、第２室８２から便器排水路５へ排出される。
【００４３】
平面部８３ａには、平面部８３ａと同心の円形凹部８３ｉが形成され、その中心に先端が拡径した突部８３ｇが一体に形成されている。また、円形凹部８３ｉの外周壁８３ｗの上部内周面から内方へ突出する３つの係止片８３ｈが平面部８３ａと一体に形成されている。突部８３ｇ及び各係止片８３ｈもゴム製の可撓性を有するものである。
【００４４】
隔膜８３は、平面部８３ａの円形凹部８３ｉに嵌め込まれた円形状の平板の錘８６を有している。錘８６は金属製であり、中心に開口８６ａが形成されている。錘８６は、開口８６ａに突部８３ｇを挿入しながら、係止片８３ｈを変形させて、円形凹部８３ｉ内に嵌めこまれる。錘８６は、開口８６ａが突部８３ｇの拡径した先端に係止し、かつ周縁部が各係止片８３ｈに係止することにより、円形凹部８３ｉから外れない。
【００４５】
第１室８１を大気圧に戻すと、隔膜８３の平面部８３ａには錘８６の重さにより下方に大きな力が働く。このため、第２室８２の空気を便器排水路５に排出する方向に抵抗が生じていても、その抵抗を打ち消して、平面部８３ａは下方の所定位置に確実に移動する。また、平面部８３ａと錘８６とは同心に設けられているため、周膜８３ｂ全体に均等に力が働くため、平面部８３ａが水平状態を維持した状態で上下移動する。このため、平面部８３ａが傾いて便器排水路５から吸引する空気量が減少してしまうことを防止することができる。
【００４６】
図６に示すように、本体８４のフランジ８４ｆの下面には、各ボルト８７ｂに螺合する複数個のねじ孔８７ｈを有するリング状の補強金具８７ｄが配置されている。また、上蓋８５のフランジ８５ｆの上面にも、各ボルト８７ｂを挿通する複数個の貫通孔８７ｇを有するリング状の補強金具８７ｕが配置されている。図４及び図１２に示すように、隔膜８３の取付片８３ｄは、本体８４のフランジ８４ｆと上蓋８５のフランジ８５ｆとの間に密閉状態で挟持されている。各ボルト８７ｂを上方から各々の貫通孔８７ｇ、８５ｇ、８４ｇに挿通し、補強金具８７ｄのねじ孔８７ｈに螺合させることにより、本体８４のフランジ８４ｆ、隔膜８３の取付片８３ｄ及び上蓋８５のフランジ８５ｆが締め付け固定される。
【００４７】
図４及び図１２に示すように、隔膜８３の鍔部８３ｃは、上蓋８５の上内壁面８５ｍに接するように固定されている。また、図１０に示すように、隔膜８３の平面部８３ａは、周縁より内側の下面に等間隔に配置され、下方に突出する６個の下凸部８３ｅを有している。また、隔膜８３の平面部８３ａは、周縁より内側の上面に等間隔に配置され、上方に突出する６個の上凸部８３ｆを有している。図１１（Ａ）に示すように、隔膜８３は、下降位置において、下凸部８３ｅが本体８４の底壁８４ａの下内壁面８４ｍに点接触し、かつ図１１（Ｂ）に示すように、上昇位置において、上凸部８３ｆが上蓋８５の上内壁面８５ｍ又はリブ８５ｄに点接触する。
【００４８】
このように隔膜８３の平面部８３ａは、上蓋８５の上内壁面８５ｍと本体８４の底壁８４ａの下内壁面８４ｍとの間を移動するため、第１室８１及び第２室８２の容積変動量を吸引タンク８０の内容積に近づけることができる。つまり、吸引タンク８０の内部の空間が有効に利用されるため、吸引タンク８０の小型化を図ることができる。
【００４９】
図４に示すように、本体８４の下部に設けられた挿入管８４ｃは、図３に示す接続管１５１から分岐した分岐連通管９０の連通口９０ａにパッキン９０ｐを介して挿入されている。このため、吸引タンク８０の第２室８２と便器排水路５とを気密性を確保しつつ、容易に連通させることができる。
【００５０】
以上の洋風水洗式便器では、便器排水路５の吸気装置２００は、エゼクタ３０、第１導圧管１１０、逆止弁１１１、負圧蓄圧タンク７０、第２導圧管１２０、第３開閉弁Ｖ３、第３導圧管１３０、第４開閉弁Ｖ４、吸引タンク８０、吸引管９０及び制御装置Ｃによって構成されている。洗浄水供給装置は、導水管１０、ストレーナ装置１１、定流量弁１２、第１開閉弁Ｖ１、バキューブブレーカ１３、エゼクタ３０、ノズル５０、タンク２０、第２開閉弁Ｖ２、送出管４０、第１導圧管１１０、第２導圧管１２０、第３開閉弁Ｖ３及び制御装置Ｃによって構成されている。
【００５１】
次に、本発明の吸気装置２００を組み込んだ便器洗浄装置１００の作動について図１に示す構成に基づいて説明する。
【００５２】
［非洗浄時］
図１３において、ｔ１時点によりも前の非洗浄時には、第１開閉弁Ｖ１、第２開閉弁Ｖ２、第３開閉弁Ｖ３及び第４開閉弁Ｖ４は閉弁している。この状態では、タンク２０内には洗浄水が貯留されている。吸引タンク８０内の隔膜８３は吸引タンク８０内の下内壁面８４ｍに当接している。
【００５３】
［便鉢洗浄行程・負圧蓄圧行程］
用便後、図１３のｔ１時点において、制御装置Ｃに便器洗浄の開始信号を送信する洗浄スイッチを使用者が操作することにより、制御装置Ｃによって第１開閉弁Ｖ１が開弁する。
【００５４】
これにより、導水管１０内を流れる洗浄水はエゼクタ３０を通って旋回室２９内に流入する。エゼクタ３０内に洗浄水が流れることにより、エゼクタ３０が負圧蓄圧タンク７０内の空気を第１導圧管１１０及び逆止弁１１１を介して吸引し、吸引された空気は洗浄水とともに旋回室２９内に流入する。旋回室２９内では洗浄水が旋回するため、洗浄水中の空気は、良好に分離され、流入室２５の上部に蓄積される。これにより、負圧蓄圧タンク７０内に負圧が徐々に蓄積されるとともに、負圧蓄圧タンク７０から吸引した空気の分だけ流入室２５の水面が徐々に下がる。
【００５５】
また、導水管１０から供給された洗浄水と、タンク２０内に貯留され、負圧蓄圧タンク７０から吸引した空気に応じた量の洗浄水とが送出管４０を介してリム３に供給される。リム３に供給された洗浄水は便鉢２の内面に沿って旋回しながら流れ落ち、便鉢２内に旋回流が形成される。この旋回流により、汚物は便鉢２の中央に集められる。なお、この旋回流により、ペーパーは、ほぐれて洗浄水となじみ、洗浄水中に分散する。
【００５６】
［吸気行程］
図１３のｔ２時点において、制御装置Ｃによって第４開閉弁Ｖ４が開弁される。これにより、負圧蓄圧タンク７０内の負圧が第１導圧管１１０、第３導圧管１３０及び第４開閉弁Ｖ４を介して吸引タンク８０の第１室８１に伝達され、第１室８１内が負圧になる。また、エゼクタ３０内には引き続き洗浄水が供給されているため、エゼクタ３０によっても第１室８１内の空気が吸引される。これにより、吸引タンク８０内の隔膜８３は、第４開閉弁Ｖ４が開弁された当初は負圧蓄圧タンク７０内の負圧により急激に引き上げられ、その後、エゼクタ３０により吸引タンク８０の上内壁面８５ｍに当接するまで緩やかに引き上げられる。
【００５７】
吸引タンク８０により便器排水路５内の空気を第２室８２に吸引する際には、便鉢２内の水位はリム３から供給された洗浄水によって十分に高くなっており、水封部４の最高位部４ａとの間の水頭差が十分に大きなものとなっている。このため、便鉢２内の洗浄水は、この水頭差と便器排水路５内の空気の吸引とにより、早期に便器排水路５内が洗浄水で満水状態になって強力なサイホン作用が発生し、少ない洗浄水で早期に排出流が形成される。
【００５８】
この際、便鉢２内に形成された旋回流により便鉢２の中央に集められた汚物は、サイホン作用により便器排水路５へ排水される洗浄水に伴って、便器排水路５へ確実に排出される。
【００５９】
また、便器排水路５は、滞留部６によって下流側と封鎖され、便器排水路５は水封部４と滞留部６との間に存在する閉空間にされている。このため、確実に便器排水路５から一定量の空気を吸引することができるため、サイホン作用を安定して発生させることができる。
【００６０】
また、吸引タンク８０内が隔膜８３によって第１室８１と第２室８２とに区画され、第２室８２のみが便器排水路５と連通しているため、汚物を含んだ洗浄水や臭気を含んだ空気等が負圧蓄圧タンク７０やエゼクタ３０側へ入り込むことを確実に防止している。
【００６１】
［洗浄水増加行程」
図１３のｔ３時点において、便鉢２の水位は便鉢２後部の最低位部２ａの高さ近傍にまで低下しており、この瞬間、制御装置Ｃによって第３開閉弁Ｖ３を開弁し、第４開閉弁Ｖ４を閉弁する。
【００６２】
この際、いまだエゼクタ３０内に洗浄水が供給されているため、外部の大量の空気が第３開閉弁Ｖ３、第２導圧管１２０及び第１導圧管１１０を介して旋回室２９内に流入する。このため、流入室２５内の洗浄水は、流入した大量の空気により流出室２６及び送出管４０を介してリム３に押し出される。これにより、流入室２５内の水位は急激に大きく低下する。
【００６３】
便鉢２内の水位が便鉢２後部の最低位部２ａより低くなり、便器排水路５に便鉢２から空気が流入してサイホン作用が終了する前において、こうしてリム３に供給される洗浄水が増加する。つまり、リム３から供給される洗浄水は、導水管１０から供給される洗浄水とタンク２０に貯留されていた洗浄水とを加えたものであるため、便鉢２への単位時間当たりの洗浄水の供給水量は多くなっている。このため、水封部４は破封せず、便鉢２内の洗浄水は旋回を継続し、サイホン作用も継続する。また、便鉢２内の旋回流も強力になる。さらに、洗浄水の水勢も増加する。このため、便鉢２内に残留する汚物は、便器排水路５内へ押し出されるようにより確実に排出される。
【００６４】
［隔膜の戻し行程］
図１３のｔ４時点において、制御装置Ｃによって第１開閉弁Ｖ１を閉弁し、第４開閉弁Ｖ４を開弁する。これにより、吸引タンク８０の第１室８１が第４開閉弁Ｖ４、第３導圧管１３０、第１導圧管１１０、第２導圧管１２０及び第３開閉弁Ｖ３を介して外部と連通するため、第１室８１内が大気圧になり、隔膜８３が下降する。このため、便器排水路５内に第２室８２から空気が徐々に押し込まれ、便器排水路５内において徐々に空気が増加するため、便器排水路５を洗浄水の満水にする状態が維持できず、サイホン作用が終了する。
【００６５】
［覆水行程］
図１３のｔ５時点において、制御装置Ｃによって第１開閉弁Ｖ１及び第２開閉弁Ｖ２を開弁し、第４開閉弁Ｖ４を閉弁する。これにより、エゼクタ３０が外部から空気を吸引しながら旋回室２９に洗浄水が流入する。洗浄水中の空気は、旋回室２９内で良好に分離され、大気口２３、第２開閉弁Ｖ２を介して外部に放出される。このため、タンク２０内の洗浄水は洗浄開始前の所定の水位まで蓄積される。また、流出室２６から送出管４０を介して洗浄水がリム３に供給され、便鉢２内に洗浄水が溜まり覆水する。
【００６６】
［大気開放行程］
図１３のｔ６時点において、制御装置Ｃによって第１開閉弁Ｖ１が閉弁し、第４開閉弁Ｖ４が開弁する。これにより、再度、吸引タンク８０の第１室８１が第４開閉弁Ｖ４、第３導圧管１３０、第１導圧管１１０、第２導圧管１２０及び第３開閉弁Ｖ３を介して外部と連通し、隔膜８３が吸引タンク８０の下内壁面８４ｍに当接するまで下降する。この結果、隔膜８３が洗浄前の所定の位置に戻され、次回の洗浄を安定して行なうことができる。その後、図１３のｔ７時点において、制御装置Ｃによって第２開閉弁Ｖ２、第３開閉弁Ｖ３及び第４開閉弁Ｖ４が閉弁される。
【００６７】
したがって、実施例の便器排水路５の吸気装置２００は、繰り返し確実にサイホン作用を発生させて便器洗浄を良好に行うことができる。
【産業上の利用可能性】
【００６８】
本発明は便器排水路の吸気装置に利用可能である。
【図面の簡単な説明】
【００６９】
【図１】実施例の便器排水路の吸気装置を備えた洋風水洗式便器の模式図である。
【図２】実施例の洗浄水供給装置の制御装置を示す模式図である。
【図３】実施例の便器排水路の吸気装置を備えた洋風水洗式便器の要部断面図である。
【図４】実施例の吸引タンクの断面図である。
【図５】実施例の吸引タンクの斜視図である。
【図６】実施例の吸引タンクの分解断面図である。
【図７】実施例の吸引タンクを構成する本体の断面図である。
【図８】実施例の吸引タンクを構成する本体の平面図である。
【図９】実施例の吸引タンクを構成する上蓋の底面図である。
【図１０】実施例の吸引タンクを構成する隔膜の平面図である。
【図１１】図６のＡ−Ａ矢視の一部断面図に係り、（Ａ）は隔膜が下降位置に位置する際のものであり、（Ｂ）は隔膜が上昇位置に位置する際のものである。
【図１２】実施例の吸引タンクの一部拡大断面図である。
【図１３】実施例の洋風水洗式便器の作動を説明するタイミングチャートである。
【符号の説明】
【００７０】
１…便器本体
４…水封部
５…便器排水路
８０…吸引タンク
８１…第１室
８２…第２室
８３…隔膜
８３ａ…平面部
８６…錘
２００…吸気装置
２０１…負圧発生装置
【図１】
2008231721.tif 000003
【図２】
2008231721.tif 000004
【図３】
2008231721.tif 000005
【図４】
2008231721.tif 000006
【図５】
2008231721.tif 000007
【図６】
2008231721.tif 000008
【図７】
2008231721.tif 000009
【図８】
2008231721.tif 000010
【図９】
2008231721.tif 000011
【図１０】
2008231721.tif 000012
【図１１】
2008231721.tif 000013
【図１２】
2008231721.tif 000014
【図１３】
2008231721.tif 000015